(57)【要約】【課題】  本発明は、身体の各部位を図示化して、印を付けて表示することを併用して、病人の負担を軽減して体調にかかわらず記録され、かつ診察時に携帯し、医療者にその症状を正確に伝え、より適切な治療を受けることができる、体調記録ダイアリーを提供するものである。【解決手段】  本発明に係る体調記録ダイアリーは、左右の頁で対をなし少なくとも１週間分の体調等を記入する見開きとし、治療内容を記入できる治療欄１を上部に、この治療欄１の下方の一側には毎日の体温、排便、体重、血圧、食事、体調、薬等の体調記録欄２を、また他側には体のたとえば胴体、手、足、顔などの各部分を図示化することで病人が丸等の簡単な印を付けて表示することができる体調表示欄３を設け、さらに、少なくとも主治医の担当日の頁、メモの頁、治療費等の記録の頁、お見舞のリストの頁、住所録の頁等を備えている体調記録ダイアリーとする。【選択図】図１
2007125865.tif 000002
【特許請求の範囲】
【請求項１】
病人が毎日の症状や体調を記録することによって自身の治療内容を理解し医療者に正確に症状を伝え、治療に役立たせるための体調記録ダイアリーで、このダイアリーは、左右の頁で対をなし、少なくとも１週間分の体調等を記入する見開きとし、この見開き頁には、当月翌月のカレンダーとともに、投薬の種類や回数、投与方法、及び治療内容の記録を医療者等が記入する治療欄を有し、この治療欄の下方にはその一側に毎日の体温・排便・体重・食事・血圧・体調・薬等を病人若しくは付添人が記録する体調記録欄を、また他側には、身体の各部位、例えば、胴体・手・足・顔などの各部位を図示して、病人が丸等の簡単な印を付けて表示することによってその日の体調をより精密に伝えることができる体調表示欄を備えてなることを特徴とする体調記録ダイアリー。
【請求項２】
病院名、受付時間、診察時間等を記録する欄と、受診科名、主治医の氏名とともに、診察時間を表を用いて丸印等のチェックで行う少なくとも一週間のリスト欄を有する主治医の担当日の頁を備えることを特徴とする請求項１記載の体調記録ダイアリー。
【請求項３】
月日を印刷した治療の経過等を記録できるメモの頁、診察の日付、曜日、経費等を記録できる治療費等の記録の頁、お見舞に来た人及びその内容を記録できるお見舞リストの頁、あるいは住所録の頁を具備してなることを特徴とする請求項１または２に記載の体調記録ダイアリー。
【発明の詳細な説明】
【技術分野】
【０００１】  本発明は、病人の体調の変化や症状を体調の良し悪しに関わらず自分で記録でき自身の治療内容を理解するとともに医療者に的確に病状を伝えよりよい治療を受けるための体調記録ダイアリーに関する。
【背景技術】
【０００２】  従来、体調を記録できるダイアリーとして、入院から退院までの必要事項を一冊にまとめたノートで、体温、尿、便等や頭が重いか、疲れやすいか等の一般的な体調のチェック項目や入院したときの検査結果を記入する欄等からなっている入院時の記録ノートがある（例えば、特許文献１参照）。また頭痛等の痛みに限定した痛みを記録するノートもある（例えば、特許文献２参照）。さらに、介護生活に関わるスケジュール欄、水分、尿、便、体温、脈拍、呼吸、血圧、内服する薬、食事欄等を本人や介護者が記入するようになっている記録ノートがある（例えば、非特許文献１参照）。
【特許文献１】  特開  ２００３−２５７６８号公報
【特許文献２】  登録実用  ３０４９３３２号公報
【非特許文献１】  マルマン株式会社  東京都中野区中央２−３６−１２  製作  Ｃａｒｅ  ｄｉａｒｙ  ２００１年１２月１０日初版
【発明の開示】
【発明が解決しようとする課題】
【０００３】  上記背景技術で述べた特許文献１記載の発明は、病院への入院から退院までの種々の状況等を入院に重点を置き、文字を用いてチェックや記入をすることからなるノートで、通院している人の体調の不安を記録するようにはできておらず、体調の悪いときには病人自身では書くことが負担であるという問題点があった。また、特許文献２記載のノートは頭痛等の痛みの起きた時間や度合いを記録するノートで、他の症状については対処されていない。又、非特許文献１のノートは介護に重点が置かれており、本人又は介護者が文字を記入することからなり、体調の悪いときには介護者が居なければ記入することができないという欠点があった。【０００４】  しかし、医療技術の高度化に伴い病院に入院するのではなく、通院による治療が増えてくる中で病人が不安な病状及び体調をいかに正確に医療者に伝え、適切な治療を受けることができるかは非常に重要なことで、必要不可欠なことと考えられるが、体調を記録するという行為は、体調の悪いときには苦痛で困難な作業である。【０００５】  本発明は、身体の各部位を図示化して印を付けて表示することを併用して病人の体調にかかわらず記録する作業が軽減されるために、その負担を軽くできかつ診察時に携帯し医療者に症状を正確に伝えることで、より適切な治療を受けることを目的とした体調記録ダイアリーを提供する事にある。
【課題を解決するための手段】
【０００６】  本発明に係る体調記録ダイアリーは、左右の頁で対をなし、少なくとも１週間分の体調等を記入する見開きとし、この見開き頁には、当月翌月のカレンダーとともに、投薬の種類や回数、投与方法、及び治療内容の記録を医療者等が記入する治療欄を有し、この治療欄の下方にはその一側に毎日の体温・排便・体重・血圧・食事・体調・薬等を病人若しくは付添人が記録する体調記録欄を、また他側には、身体の各部位、例えば、胴体・手・足・顔などの各部位毎に図示して、病人が丸等の簡単な印を付けて表示することによってその日の体調をより正確に伝えることができる体調表示欄を備えたことを特徴とするものである。【０００７】  さらに、前記体調記録ダイアリーは、体調表示欄等を示す見開き頁以外、病院毎に別頁とし、各科の主治医の担当日を始め、主治医の担当時間等を１週間分の中の該当時間に丸印等の記号でチェックされる一覧表にした頁、月日を印刷し治療の経過等を記録できるメモの頁、診察の日付、曜日、経費等を記録できる治療費等の記録の頁、お見舞いに来た人及びその内容を記録できるお見舞リストの頁、あるいは住所録の頁等が具備されていることを特徴とするものである。
【発明の効果】
【０００８】  本発明は、病人の体調が悪いときでも体温・排便・体重・血圧・食事・体調の欄を丸印等の記号でチェックや数字を主体とした記入方法とともに身体の胴体・手・足・顔などの各部分を前後、あるいは左右等に図示化することによって、病人が丸等の簡単な印を付けて表示することができる体調表示欄を設けたことで文字を書く負担を軽くすることができ、尚かつ体調の悪い部位あるいは症状をより具体的に、正確に記録でき、さらに治療内容も記入できることにより、自身の治療内容をよく理解するとともに、１週間単位で症状が記録されているためにその症状を精細に読みとることができ、診察時に体調記録ダイアリーを携帯し医療者に症状をより正確に伝えることができ、より適切な治療が期待できる。【０００９】  さらに、病院の診察時間や主治医の勤務日は様々であり主治医の担当日や担当時間は、通院する病人や介護者にとって必ず覚えておきたい事柄の一つであるため、受診する病院名や診察時間を記録する欄と、受診する科名や主治医名とともに、主治医の担当時間を表を用いて丸印等のチェックで行われ、かつこれらの表が少なくとも一週間を有するリスト欄とする主治医の担当日の頁を備えることにより、診察日や受診時間を忘れたりすることなく体調の悪いときの参考になり、しかも病人本人はもとより介護人等が一目で担当医等を理解することができる。【００１０】  さらに、日常的に用いるメモの頁、経費や治療費等あるいはお見舞いのリストや住所録を記載する頁を併用することによって、一年間を通しての治療経過や、経費を把握することができ、また入院時等の身の回りに素速く対応することができる。
【発明を実施するための最良の形態】
【００１１】  以下本発明の実施の形態に係る体調記録ダイアリーを、図１ないし図６を用いて説明する。
図１は、体調記録ダイアリーの要部を示す略図で、左右の頁で対をなした見開き頁から構成され、治療欄１と、この治療欄１の下方の左側には少なくとも１週間分が記録できる体調記録欄２を、右側には体調表示欄３をそれぞれ備えている。【００１２】  治療欄１は、医療者の治療内容を記入する欄で抗癌剤等の薬の記入欄、放射線に関する記入欄、その他の治療欄、診察・検査の記入欄、次回診察での質問欄等が設けられ、これらの治療欄１の左右には、当月分と翌月分のカレンダーの欄４が設けられている。【００１３】  体調記録欄２は図１および図２に示すように、前記治療欄１の下方の左側の頁に示され、毎日の体温、排便、体重、血圧、食事、薬、体調等を病人若しくは付添人が少なくとも１週間分を記録されるものである。また、前記体調記録欄２の体温、体重、血圧等については、数字を表す以外にグラフ表示にすることもできる。【００１４】  前記体調記録欄２と並設される体調表示欄３は、図３ないし図５に示すように、体調記録欄２に対応して、１週間分が記録され、身体の各部位、例えば胴体、手、足、顔な
2007125865.tif 000003
示することで、その日の体調を体調記録欄２とともに活用することにより具体的にかつ、正確に伝えることができる。【００１５】  図３は体調表示欄３の一例を示すもので、５は顔面、６は後頭部、７は右側顔面、８は左側顔面、９は首・肩（前面）、１０は首・肩（背面）、１１は胸部、１２は背中などの図示化した略図を表示し、該当部位にチェック等の印を付けるものである。【００１６】  さらに、図４は体調表示欄３の他の例であり、１３は胴体部（前面）、１４は胴体部（背面）、１５は両手（表）、１６は両手（裏）、１７は脚部（前）、１８は脚部（後）、１９は両足（表）、２０は両足（裏）、などの図示化した略図を表示しさらに、図５も体調表示欄３のさらに他の例であり、２１は歯列の上下（大人）、２２は歯列の上下（子供）、２３は口腔内および舌の略図を表示し、その他の部位の変調にも対応できるように、この体調表示欄３は適時その症状に対応して差し換えできるようにシート化とすることで、手、足の爪部分や耳、鼻、目の細部等あらゆる身体の部位を記載することができ、さらに痛み、しびれ等の症状を色別に記入することでより具体的に記録することもできる。【００１７】  さらに、見開きの体調記録欄２と体調表示欄３以外、図６に示すように、主治医の担当日の頁２４を備え、主治医の担当日に関する記入欄には病院名、受付時間、診察時間の午前の時間、診察時間の午後の時間、病院の電話番号を記入し、さらに病院の科名、主治医の氏名を記入し、各主治医の診察時間を１週間の中の該当時間に丸印等のチェックで行う少なくとも一週間を一覧表としたリスト欄とする。なお、同一病院でかかりつけの科が複数の場合や主治医の変更にも対応できるように複数欄設け他のかかりつけの病院も記入できるように複数頁とすることが望ましい。【００１８】  さらに、本発明に係る体調記録ダイアリーには、さらにメモの頁、治療費等の記録の頁、お見舞いのリストの頁、住所録の頁を備えている。【００１９】  メモの頁は複数頁で、治療の経過が書けるように月日欄を設け、さらに治療費等の記録の頁は診察の月日・曜日・経費を記入でき、計欄を設け、確定申告で領収書の必要なものには※を付け１年間の集計ができるように合計欄が設けられている。【００２０】  お見舞いのリストの頁は日付、お見舞いに来た人及びお見舞の内容を記録できさらに住所録の頁が設けられておりまた予定が容易に確認できるように表紙の裏に複数年のカレンダーが設けられている。
【図面の簡単な説明】
【００２１】
【図１】  本発明に係る体調記録ダイアリーの要部を示す略示図である。
【図２】  体調記録欄２を示す略示図である。
【図３】  体調表示欄３の一例を示す略示図である。
【図４】  同じく体調表示欄３の他の例を示す略示図である。
【図５】  同じく体調表示欄３のさらに他の例を示す略示図である。
【図６】  主治医の担当日を示す略示図である
【符号の説明】
【００２２】１    治療欄
２    体調記録欄
３    体調表示欄
４    カレンダー
５    顔面
６    後頭部
７    右側顔面
８    左側顔面
９    首・肩（前面）
１０  首・肩（背面）
１１  胸部
１２  背中
１３  胴体部（前面）
１４  胴体部（背面）
１５  両手（表）
１６  両手（裏）
１７  脚部（前）
１８  脚部（後）
１９  両足（表）
２０  両足（裏）
２１  歯列の上下（大人）
２２  歯列の上下（子供）
２３  口腔内および舌
２４  主治医の担当日の頁
【図１】
2007125865.tif 000004
【図２】
2007125865.tif 000005
【図３】
2007125865.tif 000006
【図４】
2007125865.tif 000007
【図５】
2007125865.tif 000008
【図６】
2007125865.tif 000009